【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
コーティングシステムであって、
ａ）表面への塗布により接着剤層を形成する、分散性接着剤を含む接着剤層組成物、及び
ｂ）前記接着剤層への塗布後にメンテナンス層を形成する、分散性ポリマーを含むメンテナンス層組成物、
からなり、
前記分散性接着剤が、スチレン−ブタジエンラテックス、アクリルラテックス材料、ポリウレタンラテックス、ポリ酢酸ビニルエマルション、及びそれらの組合せの少なくとも１つを含み、及び
前記接着剤層及び前記メンテナンス層が、前記分散性接着剤の接着強度より大きい引っ張り強度を有する、剥離可能な仕上げコーティングを形成する、コーティングシステム。
【請求項２】
前記分散性接着剤がアクリレートコポリマーを含む、請求項１に記載のコーティングシステム。
【請求項３】
前記分散性接着剤が感圧接着剤を形成する、請求項１又は２に記載のコーティングシステム。
【請求項４】
前記メンテナンス層組成物が、ＵＶ硬化ポリマー、ナイロン、エポキシ、ポリアクリレート、ポリスチレンアクリレート、ポリウレタン、ポリ尿素、及びそれらの組合せの少なくとも１つを含む、請求項１〜３のいずれか一項に記載のコーティングシステム。
【請求項５】
前記メンテナンス層組成物がポリウレタンを含む、請求項１〜４のいずれか一項に記載のコーティングシステム。
【請求項６】
前記接着剤層組成物又は前記メンテナンス層組成物が、可塑剤、中和剤、湿潤剤、艶消剤、脱泡剤、融合助剤、防腐剤、染料、顔料、芳香剤、ナノ粒子、光学要素及び埋没粒子から選択される少なくとも１つの添加剤を更に含む、請求項１〜５のいずれか一項に記載のコーティングシステム。
【請求項７】
ｃ）表面への塗布後に連続的なコーティングを形成する、分散性ポリマーを含む基層組成物、を更に含む、請求項１〜６のいずれか一項に記載のコーティングシステム。
【請求項８】
前記接着剤層及び前記メンテナンス層が、仕上げコーティングの剥離強度よりも大きい引張強度を有する仕上げコーティングを形成する、請求項１〜７のいずれか一項に記載のコーティングシステム。
【請求項９】
除去用具を更に含む、請求項１〜８のいずれか一項に記載のコーティングシステム。
【請求項１０】
表面をコーティングする方法であって、
ａ）表面に、分散性接着剤を含む接着剤層組成物を塗布して、接着剤層を形成する工程、及び
ｂ）前記接着剤層への塗布後に、分散性ポリマーを含むメンテナンス層組成物を塗布して、メンテナンス層を形成する工程、
からなり、
前記分散性接着剤が、スチレン−ブタジエンラテックス、アクリルラテックス材料、ポリウレタンラテックス、ポリ酢酸ビニルエマルション、及びそれらの組合せの少なくとも１つを含み、及び
前記接着剤層及び前記メンテナンス層が、約５０ｇｆ/２５ｍｍより大きい剥離強度を有する、仕上げコーティングを形成する、
方法。
【請求項１１】
前記分散性接着剤がアクリレートコポリマーを含む、請求項１０に記載の方法。
【請求項１２】
前記分散性接着剤が前記表面への塗布により感圧接着剤を形成する、請求項１０又は１１に記載の方法。
【請求項１３】
前記メンテナンス層組成物が、ＵＶ硬化ポリマー、ナイロン、エポキシ、ポリアクリレート、ポリスチレンアクリレート、ポリウレタン、ポリ尿素、及びそれらの組合せの少なくとも１つを含む、請求項１０〜１２のいずれか一項に記載の方法。
【請求項１４】
前記メンテナンス層組成物がポリウレタンを含む、請求項１０〜１３のいずれか一項に記載の方法。
【請求項１５】
前記接着剤層組成物又は前記メンテナンス層組成物が、可塑剤、中和剤、湿潤剤、艶消剤、脱泡剤、融合助剤、防腐剤、染料、顔料、芳香剤、ナノ粒子、光学要素及び埋没粒子から選択される少なくとも１つの添加剤を更に含む、請求項１０〜１４のいずれか一項に記載の方法。
【請求項１６】
ｃ）表面への塗布後に連続的なコーティングを形成する、分散性ポリマーを含む基層組成物、を更に含む、請求項１０〜１５のいずれか一項に記載の方法。
【請求項１７】
前記接着剤層及び前記メンテナンス層が、仕上げコーティングの剥離強度よりも大きい引張強度を有する仕上げコーティングを形成する、請求項１０〜１６のいずれか一項に記載の方法。
【請求項１８】
除去用具を更に含む、請求項１０〜１７のいずれか一項に記載の方法。
【請求項１９】
前記除去用具がプラスチックリボンである、請求項１８に記載の方法。
【請求項２０】
前記表面がフロアである、請求項１０〜１９のいずれか一項に記載の方法。
【請求項２１】
保護表面であって、
ａ）フロア、
ｂ）接着剤、及び
ｃ）耐久性のあるポリマーコーティング、
からなり、
前記接着剤が、スチレン−ブタジエンラテックス、アクリルラテックス材料、ポリウレタンラテックス、ポリ酢酸ビニルエマルション、及びそれらの組合せの少なくとも１つを含み、及び
前記接着剤層及び前記メンテナンス層が、前記接着剤の接着強度より大きい引っ張り強度を有する、剥離可能な仕上げコーティングを形成する、
保護表面。
【請求項２２】
表面をコーティングする方法であって、
ａ）表面に分散性接着剤を含む接着剤層組成物を塗布して、接着剤層を形成する工程、及び
ｂ）分散性ポリマーを含むメンテナンス層組成物を塗布して、前記接着剤層上にメンテナンス層を形成する工程、
からなり、
前記接着剤層及び前記メンテナンス層が、約５０ｇｆ／２５ｍｍより大きい剥離強度を有する仕上げコーティングを形成する、方法。
【請求項２３】
前記剥離強度が約１００ｇｆ／２５ｍｍより大きい、請求項２２に記載の方法。
【請求項２４】
前記剥離強度が約２００ｇｆ／２５ｍｍより大きい、請求項２２に記載の方法。
【請求項２５】
前記分散性接着剤が、アクリレートポリマー、スチレン−ブタジエンポリマー、アクリルポリマー、ポリウレタンポリマー、ポリ酢酸ビニルポリマー、及びそれらの組合せの少なくとも１つを含む、請求項２２〜２４のいずれか一項に記載の方法。
【請求項２６】
前記分散性接着剤がアクリレートコポリマーを含む、請求項２２〜２５のいずれか一項に記載の方法。
【請求項２７】
前記メンテナンス層組成物が、ＵＶ硬化ポリマー、ナイロン、エポキシ、ポリアクリレート、ポリスチレンアクリレート、ポリウレタン、ポリ尿素、及びそれらの組合せの少なくとも１つを含む、請求項２２〜２６のいずれか一項に記載の方法。
【請求項２８】
前記メンテナンス層組成物がポリウレタンを含む、請求項２２〜２７のいずれか一項に記載の方法。
【請求項２９】
前記表面がフロアである、請求項２２〜２８のいずれか一項に記載の方法。
【請求項３０】
前記仕上げコーティングが破損点伸びを有し、該破損点伸びが約５０％〜約２５０％である、請求項２２〜２９のいずれか一項に記載の方法。
【請求項３１】
表面をコーティングする方法であって、
ａ）表面に分散性接着剤を含む接着剤層組成物を塗布して、接着剤層を形成する工程、及び
ｂ）分散性ポリマーを含むメンテナンス層組成物を塗布して、前記接着剤層上にメンテナンス層を形成する工程、
からなり、
前記接着剤層及び前記メンテナンス層が、前記分散性接着剤の接着強度よりも大きい引張強度を有する、剥離可能な仕上げコーティングを形成する、方法。
【請求項３２】
前記分散性接着剤が、アクリレートポリマー、スチレン−ブタジエンポリマー、アクリルポリマー、ポリウレタンポリマー、ポリ酢酸ビニルポリマー、及びそれらの組合せの少なくとも１つを含む、請求項３１に記載の方法。
【請求項３３】
前記分散性接着剤がアクリレートコポリマーを含む、請求項３１又は３２に記載の方法。
【請求項３４】
前記メンテナンス層組成物が、ＵＶ硬化ポリマー、ナイロン、エポキシ、ポリアクリレート、ポリスチレンアクリレート、ポリウレタン、ポリ尿素、及びそれらの組合せの少なくとも１つを含む、請求項３１〜３３のいずれか一項に記載の方法。
【請求項３５】
前記メンテナンス層組成物がポリウレタンを含む、請求項３１〜３４のいずれか一項に記載の方法。
【請求項３６】
前記仕上げコーティングの破損点伸びが、約５０％〜約２５０％である、請求項３０に記載の方法。
【請求項３７】
前記表面がフロアである、請求項３１〜３６のいずれか一項に記載の方法。